(57)【特許請求の範囲】
【請求項１】
ビデオ・オーバーレイ回路であって：
第１遷移期間にわたって第１および第２輝度信号（ＬＵＭ１，ＬＵＭ２）間で切り替えを行い、重ね合わせ輝度信号を生成する第１切り替え回路（５）；
前記第１遷移期間よりも長い第２遷移期間にわたって第１および第２クロミナンス信号（ＣＨＲＯＭ１，ＣＨＲＯＭ２）間で切り替えを行い、重ね合わせクロミナンス信号を生成する第２切り替え回路（６）；および
前記重ね合わせ輝度信号と前記重ね合わせクロミナンス信号とを組み合わせ、複合出力信号（ＶＩＤＥＯ）を与える回路（７）；
から成ることを特徴とするビデオ・オーバーレイ回路。
【請求項２】
ビデオ・オーバーレイ回路であって：
複合ビデオ信号を受信するように結合された入力，ならびに前記複合ビデオ信号を第１輝度信号および第１クロミナンス信号に分離する第１および第２出力を有する分離回路（１０）；
前記第１輝度信号および第２輝度信号をそれぞれ受信するように結合された第１および第２入力を有し、第１遷移期間内において前記第１および第２輝度信号間で切り替えを行い、重ね合わせ輝度信号を出力に生成する第１切り替え回路（５）；
前記第１クロミナンス信号および第２クロミナンス信号をそれぞれ受信するように結合された第１および第２入力を有し、前記第１遷移期間よりも長い第２遷移期間にわたって前記第１および第２クロミナンス信号間で切り替えを行い、重ね合わせクロミナンス信号を出力に生成する第２切り替え回路（６）；および
前記第１および第２切り替え回路に結合され、前記重ね合わせ輝度信号を前記重ね合わせクロミナンス信号と加算し、重ね合わせ複合出力信号（ＶＩＤＥＯ）を与える加算回路（７）；
から成ることを特徴とするビデオ・オーバーレイ回路。
【請求項３】
ビデオ信号を重ね合わせる方法であって：
第１遷移期間にわたって第１および第２輝度信号（ＬＵＭ１，ＬＵＭ２）間で切り替えを行い、重ね合わせ輝度信号を生成する段階；
前記第１遷移期間よりも長い第２遷移期間にわたって第１および第２クロミナンス信号
（ＣＨＲＯＭ１，ＣＨＲＯＭ２）間で切り替えを行い、重ね合わせクロミナンス信号を生成する段階；および
前記重ね合わせ輝度信号と前記重ね合わせクロミナンス信号とを組み合わせ、複合出力信号（ＶＩＤＥＯ）を生成する段階；
から成ることを特徴とする方法。
【発明の詳細な説明】
【０００１】
【発明の属する技術分野】
本発明は、一般的に、ビデオ処理回路に関し、更に特定すれば、集積ビデオ・オーバーレイ回路(integrated video overlay circuit)に関するものである。
【０００２】
【従来の技術】
ビデオ・オーバーレイとは、第１ビデオ信号を少なくとも部分的に第２ビデオ信号で覆うプロセスのことである。既存のビデオ・ストリームに文字またはグラフィックスを追加するには、通常ビデオ・オーバーレイ回路が用いられる。例えば、多くのテレビジョン受信機は、入来ビデオ信号にオーバーレイ信号を重ね合わせ、ビデオ・ピクチャのコーナーにチャネル識別または制御情報を表示する。かかる情報は、多くの場合、ケーブル・テレビジョンのセット・トップ受信機(set top receiver)において局所的に生成される。ビデオ・オーバーレイは、全体的または部分的のいずれかで行ない、オーバーレイ・ビデオが入来ビデオを覆い隠したり、あるいは透過して現れ、部分的にオーバーレイ・ビデオを通じて入来ビデオを見ることを可能とする。
【０００３】
【発明が解決しようとする課題】
従来技術のビデオ・オーバーレイ・システムの１つに、複合入来ビデオ信号と複合オーバーレイ・ビデオ信号との間で切り替えることによって、重ね合わせビデオ信号(overlaid video signal) を発生するものがある。この場合、ビデオ信号は双方ともクロミナンス成分および輝度成分を含む。しかしながら、この従来技術のシステムにおいて表示される画像は、切り替え過渡現象によってルーマ帯域幅(luma bandwidth)内にクロマ側波帯を発生し、これがテレビジョン受信機によって輝度信号として誤って処理されるために、表示ずれが発生するという欠点がある。この切り替えは、出力信号のクロマ副搬送波の位相および振幅の変化を誘発し、その結果、テレビジョン画面を見る場合に、リンギング(ringing) やその他の表示アーチファクトを生ずる。切り替え時間を遅くして側波帯を減少させようとすると、表示アーチファクトは減少するものの、輝度部分の帯域幅も減少し、そのためにオーバーレイ画像のエッジが、柔弱に、曖昧に、および／または不鮮明に見えることになる。
【０００４】
他の従来技術のビデオ・オーバーレイ回路に、入来する信号を、ＹＵＶまたはＲＧＢ成分信号にデコードし、対応するオーバーレイ成分信号内で切り替え、再度合成信号(combined signal) にエンコードし、複合出力信号を生成するものがある。しかしながら、デコードおよびエンコード処理は、入来信号に含まれる情報を変化または破壊する可能性がある。例えば、デコーダ回路におけるフィルタは、事実上クロマ帯域幅を狭め、その結果、表示した場合にクロマが不鮮明となってしまう。加えて、デコードは多くの場合、バースト・ロック回路において位相誤差を招き、デコーダの自動色制御回路において振幅誤差を招く。同様の誤差がエンコーダ回路でも生じ、その結果、色相および彩度アーチファクトが発生する。
【０００５】
したがって、テレビジョン受信機のコストを上昇させることなく、表示アーチファクトを減少させる、オーバーレイ回路および複合ビデオ信号を重ね合わせる方法が必要とされている。
【０００６】
【発明の実施の形態】
図１は、テレビジョン・システム１００のブロック図であり、入力デバイス１０２，無線周波数（ＲＦ）回路１０４，復調器１０６，アナログ／デジタル変換器（ＡＤＣ）１０８，ビデオ・オーバーレイ回路１１０，オーバーレイ信号プロセッサ１１２，およびディスプレイ・デバイス１１４を含む。入力デバイス１０２は、映像を表すビデオ信号によって変調された、送信ＲＦキャリア信号を受信する。入力デバイス１０２は、典型的に、アンテナ，または変調ＲＦケーブル・テレビジョン信号を受信するための同軸ケーブルのような、機能的に同様の他のデバイスから成る。ＲＦ回路１０４は、入力デバイス１０２によって受信されたキャリア信号を選択しかつ増幅するものであり、局部発振器，およびＲＦ信号を中間周波数（ＩＦ）信号にダウンコンバートするミキサ回路を含む。復調器１０６は、ＩＦ信号からビデオ信号を抽出し、輝度およびクロミナンス成分信号双方を含む複合ビデオ信号ＶCOMPを生成する。
【０００７】
ＡＤＣ１０８は、１３．５メガヘルツのサンプリング・レートでＶCOMPをサンプリングし、ＶCOMP内の振幅および位相情報を、代表的なビデオ・デジタル・データ・ストリームＣＯＭＰＶＩＤに変換する。ビデオ・デジタル・データ・ストリームＣＯＭＰＶＩＤは、ＶCOMPに含まれている情報を保存する。ＣＯＭＰＶＩＤは、輝度成分信号ＬＵＭ１およびクロミナンス成分信号ＣＨＲＯＭ１を含む。
【０００８】
オーバーレイ信号プロセッサ１１２は、ビデオ画像上にオーバーレイするための、グラフィックスおよび／またはチャネルまたは制御情報のような文字データを与えるグラフィックス発生器を含む。オーバーレイ信号プロセッサ１１２は、ＣＯＭＰＶＩＤの輝度成分ＬＵＭ１およびクロミナンス成分ＣＨＲＯＭ１を受信し、オーバーレイ信号の対応する輝度成分ＬＵＭ２およびクロミナンス成分ＣＨＲＯＭ２を発生する。ＬＵＭ１およびＣＨＲＯＭ１は、ＬＵＭ２およびＣＨＲＯＭ２の振幅および位相を整合するための基準として機能する。
【０００９】
オーバーレイ信号プロセッサ１１２は、典型的に、ケーブル・テレビジョンのセット・トップ・ボックス(set top box) 内に収容され、ＬＵＭ２およびＣＨＲＯＭ２データを格納するためのメモリ回路を含むことができる。多くの用途では、テレビジョン・ケーブルに接続された追加の入力（図示せず）を含み、グラフィック画像を更新するためのデータを受信する。
【００１０】
ビデオ・オーバーレイ回路１１０は、フィルタ回路を用いて、ＣＯＭＰＶＩＤをそれぞれ輝度成分ＬＵＭ１およびクロミナンス成分ＣＨＲＯＭ１に分離する。これらに、ＬＵＭ２およびＣＨＲＯＭ２を重ね合わせる。ビデオ・オーバーレイ回路１１０は、ＬＵＭ１をＬＵＭ２と、およびＣＨＲＯＭ１をＣＨＲＯＭ２と、予め規定した割合で結合し、出力データ・ストリームＶＩＤＥＯを生成する。出力データ・ストリームＶＩＤＥＯは、ディスプレイ・デバイス１１４によって処理することができる。予め規定した割合は、重ね合わせ画像(overlaid image)の所望の透過度に応じて設定する。これは、ＶＩＤＥＯ振幅の百分率として表すことができる。ディスプレイのオーバーレイのない領域では、ＬＵＭ１およびＣＨＲＯＭ１の透過度はゼロであり、ＬＵＭ２およびＣＨＲＯＭ２は１００％の透過度を有するので、ＶＩＤＥＯは、ＬＵＭ２およびＣＨＲＯＭ２の成分を含まない。オーバーレイ領域では、ＬＵＭ１のＬＵＭ２との混合およびＣＨＲＯＭ１のＣＨＲＯＭ２との混合を様々に変化させることによって、透過度を所望のレベルに設定することができる。例えば、透過度が５０％のオーバーレイ信号は、ＬＵＭ１とＬＵＭ２、およびＣＨＲＯＭ１とＣＨＲＯＭ２の等しい混合を含み、入来画像およびオーバーレイ画像が、ディスプレイのオーバーレイ領域において、等しく見ることができる。
【００１１】
尚、回路はデジタル回路として示しかつ説明しているが、本発明の原理および教示は、これに限定される訳ではないことは認められよう。多くのシステムでは、ディジタル信号処理が好ましいが、一方他のシステムには、本発明をアナログ回路およびアナログ信号で実施することによって特定の利点が得られる場合もある。例えば、現在のテレビジョン放送信号は、アナログ複合ビデオ信号によって変調されている。オーバーレイ機能をアナログ領域において実施した場合、ＡＤＣは不要となり、ＶCOMPを直接ビデオ・オーバーレイ回路１１０によって処理することが可能となる。更に別のシステムでは、アナログおよびディジタル処理を組み合わせ、双方の種類の信号の特定の利点が得られる場合もある。
【００１２】
ディスプレイ・デバイス１１４は、テレビジョン画面，モニタ，またはＶＩＤＥＯストリームを受信するためのビデオ入力を有し、代表的な重ね合わせ画像を表示する、同様のディスプレイ・デバイスを備えている。
【００１３】
図２は、オーバーレイ信号プロセッサ１１２を更に詳細に示すブロック図であり、バースト・レベル検出器１６，バースト位相ロック・ループ（ＰＬＬ）１７，グラフィックス・ビデオ発生器１８，変調器１９，ルーマ・レベル検出器４０，およびレベル制御回路２０，４１を含む。図では、同一の参照番号を有するエレメントは、同様の機能を実行するものとする。オーバーレイ信号プロセッサ１１２は、ＬＵＭ２およびＣＨＲＯＭ２を、ＬＵＭ１およびＣＨＲＯＭ１上に重ね合わせるグラフィックス画像の成分として発生し、重ね合わせ画像を生成する。バースト・レベル検出器１６は、ビデオ・オーバーレイ回路１１０からのＣＨＲＯＭ１をノード１１において受信し、その色基準バースト成分の振幅を検出する。制御データが出力において生成され、レベル制御信号２０の利得を調節し、ＣＨＲＯＭ２およびＣＨＲＯＭ１の振幅を等しくする。代替実施例では、バースト・レベル検出器１６はＣＯＭＰＶＩＤを受信し、そのカラー・バーストを検出して、制御データを生成する。
【００１４】
同様に、ルーマ・レベル検出器４０は、ビデオ・オーバーレイ回路１１０からのＬＵＭ１を受信し、その振幅を検出するための入力をノード１２に有する。出力は、レベル制御回路４１の利得を調節し、ＬＵＭ２およびＬＵＭ１の振幅を等しくする制御データを与える。
【００１５】
バーストＰＬＬ１７は、システム１００において用いられるビデオ規格によって決定されている周波数、即ち、米国では３．５８メガヘルツのクロマ副搬送波信号を発生する。クロマ副搬送波は、ＣＨＲＯＭ１のクロマ基準バースト成分の周波数および位相情報を用いて発生する。バーストＰＬＬ１７は、クロマ副搬送波の位相を進めて、変調器１９およびレベル制御回路２０による信号遅延を相殺し、ＣＨＲＯＭ２をＣＨＲＯＭ１と位相整合させる回路を含む。
【００１６】
グラフィックス・ビデオ発生器１８は、ノード１２におけるＬＵＭ１をサンプリングし、オーバーレイ画像のクロミナンス成分Ｕ，Ｖおよび輝度成分Ｙを生成する。これらは、ＬＵＭ１と同期が取られている。代替実施例では、ＣＯＭＰＶＩＤをサンプリングし、クロミナンス成分および輝度成分をＬＵＭ１と同期させることができる。クロミナンス成分Ｕ，Ｖは、輝度成分Ｙに対して進んだ位相で与えられ、変調器１９による信号遅延を相殺する。ＣＯＭＰＶＩＤを同期基準として用いる場合、ＵおよびＶを追加量だけ進ませ、遅延回路２および減算器４による遅延を一致させる。グラフィックス・ビデオ発生器１８は、オーバーレイ・グラフィックス画像を格納するメモリを含み、テレビジョン・ケーブル・システム等からの外部画像をダウンロードするための追加の入力（図示せず）を有することができる。
【００１７】
変調器１９は、クロミナンス成分Ｕ，Ｖを用いて、標準的なシステム・フォーマットの再生クロマ副搬送波を変調する。例えば、ＮＴＳＣシステムでは、クロマ副搬送波は、画像の瞬時色相(instantaneous hue) を用いて位相変調され、更に瞬時彩度(instantaneous saturation)を用いて振幅変調される。特定の実施例では、変調器１９は、既知の振幅の出力信号を生成するように構成され、バースト・レベル検出器１６からの制御データをレベル制御回路２０にフィード・フォーワードし、ＣＨＲＯＭ２の振幅をＣＨＲＯＭ１の振幅に等しく設定する。これによって、ネガティブ・フィードバックを不要とし、回路の複雑度を低下させる。
【００１８】
レベル制御回路２０は、プログラム可能な利得増幅器であり、その利得は、バースト・レベル検出器１６からのデータによって設定され、変調色副搬送波を増幅して、ノード１４においてＣＨＲＯＭ２を生成する。レベル制御回路４１は、プログラム可能な利得増幅器であり、ルーマ・レベル検出器４０からの制御データによって設定される利得に輝度成分Ｙを増幅し、ＬＵＭ１の振幅に等しい振幅のＬＵＭ２をノード１３において生成する。
【００１９】
図３は、標準的な集積回路プロセスを用いて、集積回路として製造するために実施されるビデオ・オーバーレイ回路１１０のブロック図である。ビデオ・オーバーレイ回路１１０は、ノード１においてＣＯＭＰＶＩＤを受信し、分離回路１０において、輝度成分ＬＵＭ１およびクロミナンス成分ＣＨＲＯＭ１にそれぞれ分離する。分離回路１０は、バンドパス・フィルタ（ＢＰＦ）３，遅延回路２，および減算器４を含む。ビデオ・オーバーレイ回路１１０は、更に、ＬＵＭ１にＬＵＭ２を重ね合わせる高速スイッチ５，およびＣＨＲＯＭ１にＣＨＲＯＭＳ２を重ね合わせる低速スイッチ６とを含む。スイッチ５，６の出力は、結合回路７に結合され、重ね合わせ複合ビデオ信号ＶＩＤＥＯを生成する。
【００２０】
ＢＰＦ３は、クロマ帯域幅の周波数成分を通過させ、ＣＨＲＯＭ１で示す信号を生成するように構成されている。各国のビデオ・システムの処理に応じて、ＢＰＦ３は、１．０メガヘルツないし２．４メガヘルツの間の帯域幅を有し、その中心周波数は、３．５８メガヘルツまたは４．４３メガヘルツである。しがたって、ＣＨＲＯＭ１は、ＣＯＭＰＶＩＤのクロミナンス即ち「Ｃ」成分と一般的に呼ばれている信号を近似する。
【００２１】
尚、ＢＰＦ３は、ＣＯＭＰＶＩＤから全てのクロミナンス情報を正確に抽出する必要はないことを注記しておく。その理由は、この情報の一部のみの選択でも、本発明にしたがって処理すれば、オーバーレイ表示アーチファクトが減少するからである。したがって、ＢＰＦ３のパスバンド・エッジの帯域幅も先鋭度(sharpness) も重要ではない。例えば、米国では、National Television Systems Committee （ＮＴＳＣ）のビデオ規格が、クロマ副搬送波が３．５８メガヘルツで動作し、帯域幅を±０．６メガヘルツとすることを指定している。かかるシステムでは、帯域幅の中心が３．５８メガヘルツであり、折点周波数が３．１８および４．３８メガヘルツの単極ネットワーク(single pole network) によってバンド・エッジが規定される単純なバンドパス・フィルタを用いれば、重ね合わせ画像のエッジにおける外観が著しく改善される。より選択性の高いフィルタを用いれば、一層の複雑化を招くことは明らかであるが、比例的に大きな改善を得ることができる。したがって、本発明は、システム設計者に、フィルタ遷移エリアにおいて、ＢＰＦ３の複雑度，コスト，および性能のバランスを取る際に、広い自由範囲を与えることになる。
【００２２】
遅延回路２は、シフト・レジスタ，または遅延線として動作する同様の回路である。その遅延は、ＢＰＦ３による遅延と一致し、減算器４の入力において、ＣＯＭＰＶＩＤおよびＣＨＲＯＭ１の位相を同期させる。
【００２３】
減算器４は、ＣＨＲＯＭ１と遅延したＣＯＭＰＶＩＤとの差を計算することによって、ノード１２にＬＵＭ１を生成する。ＣＨＲＯＭ１はＣＯＭＰＶＩＤの色成分を表すので、ＣＨＲＯＭ１をＣＭＰＶＩＤから減算することによって計算される残りのＬＵＭ１は、ＣＯＭＰＶＩＤの輝度または「Ｙ」成分として一般的に知られている信号を表す。したがって、ＣＯＭＰＶＩＤは、成分ＣＨＲＯＭ１，ＬＵＭ１に分離され、これらはＣＯＭＰＶＩＤに元々含まれている情報の全てを含む。減算器４の減算動作は、ＣＨＲＯＭ１およびＬＵＭ１が後に結合され、信号の損傷や情報の損失を生ずることなく、ＣＯＭＰＶＩＤを再生するという意味では、可逆的である。これについては後に説明する。
【００２４】
高速スイッチ５は、走査線がディスプレイのオーバーレイ領域のエッジに到達する度に、ＬＵＭ１およびＬＵＭ２間で切り替えを行なう。高速スイッチ５は、ＬＴＲＡＮＳデータによって設定される、所望の透過度を示す割合で、ＬＵＭ１およびＬＵＭ２を組み合わせる回路を含む。ディスプレイの非オーバーレイ領域では、ＬＵＭ２は１００％透過、即ち、不可視状態にあるので、高速スイッチ５はＬＵＭ１のみを出力に導出する。オーバーレイ領域では、ＬＵＭ２にゼロ透過（１００％不透明）が望まれる場合、高速スイッチ５は、ＬＵＭ２のみをその出力に導出する。
【００２５】
高速スイッチ５がＬＵＭ１およびＬＵＭ２間で切り替えを行なう場合、切り替え過渡現象が周波数成分に混入し、これが公称輝度帯域幅を超過する。殆どのビデオ・システムではないにせよ、多くのビデオ・システムにおいて、これらの成分の周波数または振幅が過剰に高くない限り、これらの成分はオーバーレイ遷移エッジを鋭くすることができる。従来技術のシステムでは、ときとして、輝度帯域幅を制限し、その結果遷移エッジが柔弱になるという欠点がある。したがって、高速スイッチ５は、比較的短い遷移期間で、ＬＵＭ１およびＬＵＭ２間の切り替えを行なう。遷移期間の最適な長さは、続いてテレビジョン受信機またはモニタにおいて複合信号をどのように処理するかによって、種々のビデオ・システム間で大きく変動する。１３．５メガヘルツのデータ・レートを用いる典型的なシステムでは、３回のクロック・サイクルの遷移期間が、オーバーレイ画像のエッジにおいて高い先鋭度を達成し、更に切り替えによる側波帯を回避し、その大きさおよび周波数のために発生する可能性がある、排除すべきリンギングまたはその他の表示アーチファクトを回避する。
【００２６】
低速スイッチ６は、ＣＨＲＯＭ１およびＣＨＲＯＭ２を、透過レベルを表す割合で組み合わせ、重ね合わせクロミナンス信号を生成する。色情報を表示する際に均一性を得るために、この割合は、典型的に、高速スイッチ５のそれと同一とする。しかしながら、クロマ切り替え遷移期間を、ルーマ遷移期間よりも長くなるように構成することによって、オーバーレイ・エッジにおけるクロマ表示アーチファクトが減少する。これについては、以下で更に詳しく説明する。
【００２７】
結合回路７は、スイッチ５，６からの重ね合わせ輝度信号および重ね合わせクロミナンス信号を組み合わせ、出力８に複合重ね合わせ信号ＶＩＤＥＯを生成する。一実施例では、結合回路７は、図示のように、ディスプレイ・デバイス１１４を駆動するインターフェース回路を含む、加算器として構成される。ＬＵＭ１は、分離回路１０において、ＣＯＭＰＶＩＤからＣＨＲＯＭ１を減算することによって生成されたことを思い出されたい。本ビデオ・オーバーレイ・システムの特徴の１つとして、結合回路７は、事実上、非オーバーレイ領域においてこの減算動作を逆に行うことにより、ＬＵＭ１およびＣＨＲＯＭ１に、元々ＣＯＭＰＶＩＤに含まれていた全ての情報を包括的に含ませることがあげられる。したがって、非オーバーレイ領域では、ＶＩＤＥＯは実質的にＣＯＭＰＩＶＤを複製したものであり、情報の損失はない。
【００２８】
図４は、高速スイッチ５を更に詳細に示すブロック図であり、乗算器１５１，１５２，減算器１５３，加算器１５４，およびルーマ・テーブル１５５，１５６を含む。オーバーレイ画像のエッジにおいて、高速スイッチ５は、ＬＵＭ１およびＬＵＭ２間で切り替えを行い、重ね合わせ輝度信号を生成する。高速スイッチ５は、典型的に、多数のクロック・サイクルに及ぶルーマ遷移期間にわたって信号を補間することにより、ＬＵＭ１およびＬＵＭ２間で切り替えを行なう場合に、過剰に大きな振幅変化を防止するように構成されている。クロック・サイクルの数を便宜上整数Ｎで表すとすると、Ｎクロック・サイクルのルーマ遷移期間にわたって、高速スイッチ５は、各クロック・サイクル毎に、ＬＵＭ１の大きさを、最大振幅からその透過振幅(transparency amplitude)まで徐々に減少させ、ＬＵＭ２の大きさを、ゼロ振幅からその透過振幅まで徐々に増加させる。
【００２９】
ルーマ遷移期間の間、ＬＴＲＡＮＳで示す、一連のＮ個の補間小数とＬＵＭ２を乗算する。ＬＴＲＡＮＳは、値０．０から始まり、０．０ないし１．０の間の小数として表されるＬＵＭ２の透過レベルの最終値まで連続的に増加する。最終値の一例として、透過度が６０％のオーバーレイ画像が望まれる場合、ＬＴＲＡＮＳは０．６の最終値を有する。補間小数は、昇順でルーマ・テーブル１５６に格納され、乗算器１５２においてこれとＬＵＭ２を乗算し、大きさが増加する一連のＬＵＭ２遷移値を生成する。
【００３０】
クロックＣＬＫＬＵＭの連続サイクルにおいて、ルーマ・テーブル１５６は、ＯＶＥＲＬＡＹ制御信号によって決定されるように、昇順または降順でＬＴＲＡＮＳデータを乗算器１５２にシフトする。ＯＶＥＲＬＡＹ制御信号の状態は、信号のどの部分が現在処理されているかによって左右される。オーバーレイ領域の始点において、ＯＶＥＲＬＡＹがアサートされ、クロック信号ＣＬＫＬＵＭのＮ個のパルスがルーマ・テーブル１５６に印加され、昇順でＬＴＲＡＮＳデータを乗算器１５２にシフトし、ＬＵＭ２の大きさをゼロからその透過レベルまで増加させる。オーバーレイ画像の終点では、ＯＶＥＲＬＡＹは状態を変化させ、ＣＬＫＬＵＭのＮ個のパルスがアサートされ、降順でＬＴＲＡＮＳデータを乗算器１５２にシフトし、ＬＵＭ２の値をその透過レベルから再度ゼロに減少させる。例えば、遷移期間がクロック・サイクル３回分であり、Ｎ＝３およびＬＴＲＡＮＳ＝０．５と仮定すると、補間データ０．０，０．２５，０．５がルーマ・テーブル１５６からシフトされる。オーバーレイ領域に切り替えると、乗算器１５２は、その出力に補間信号を生成する。その大きさは、０．０，０．２５* ＬＵＭ２，および０．５* ＬＵＭ２であり、３クロックの間にＬＵＭ２の透過度を０．０から５０％まで上昇させる。非オーバーレイ領域に再度切り替えると、データを逆順に適用し、逆にその透過度を５０％から０．０にＬＵＭ２を減少させる。
【００３１】
ＬＵＭ１の処理は逆に行なわれる。ＬＵＭ１の補間小数は、１−ＬＴＲＡＮＳで示すデータ・ストリーム内に含まれている。これは、減算器１５３において、値が１．０の定数値からＬＴＲＡＮＳデータ値を減算することによって生成する。したがって、１−ＬＴＲＡＮＳの値は、１．０から始まり、０．０ないし１．０の間の小数として表される、ＬＵＭ１の透過レベルまで減少する。ＬＵＭ２の透過度が６０％の重ね合わせ画像が望まれる場合、１−ＬＴＲＡＮＳはＬＵＭ１の透過度が４０％であることを表す０．４の値を有し、全輝度を１００％に保持する。遷移期間の各クロック・サイクル毎に、ＬＴＲＡＮＳデータおよび１−ＬＴＲＡＮＳデータの和は１．０となり、オーバーレイ領域および非オーバーレイ領域間で一定の１００％透過レベルを保持する。
【００３２】
１−ＴＲＳＮＳデータは、降順でルーマ・テーブル１５５内に格納されており、ＯＶＥＲＬＡＹの値にしたがって、降順または昇順で生成される。ルーマ・テーブル１５６がＬＴＲＡＮＳデータを昇順で生成している場合、ルーマ・テーブル１５５は１−ＬＴＲＡＮＳデータを降順で生成しており、またはその逆となる。即ち、ＬＵＭ２が減少している間、ＬＵＭ１は増加しており、またはその逆となる。例えば、乗算器１５２の連続出力信号が、０．０，０．２５* ＬＵＭ２，および０．５* ＬＵＭ２である場合、乗算器１５１の連続出力信号は、１．０* ＬＵＭ１，０．７５* ＬＵＭ１，および０．５* ＬＵＭ１となる。
【００３３】
加算器１５４は、乗算器１５１，１５２からの補間信号の和を計算し、オーバーレイ・ルーマ信号を生成する。したがって、加算器１５４の出力における大きな瞬時的な振幅変化が表示アーチファクトを生じることを防止するように、いくつかのクロック・サイクルの遷移期間にわたって、入来信号およびオーバーレイ信号の輝度成分を配合することによって、オーバーレイ・ルーマ信号を発生する。
【００３４】
従来技術のビデオ・システムの中には、同じ遷移期間にわたって、輝度信号およびクロミナンス信号を切り替えるものがある。しかしながら、クロミナンス信号を輝度信号と同じ遷移期間内で切り替えると、クロマ切り替え過渡減少のために、クロマ帯域幅から外れる側波帯が発生する可能性がある。低い方の側波帯の多くは、輝度帯域内に該当し、したがって、テレビジョン受信機またはモニタによって、クロミナンス信号ではなく、輝度信号として解釈され、処理されてしまう。これらの間違って処理された側波帯が表示された場合、これらは、オーバーレイ後の画像のエッジにおいて、排除すべきリンギングまたはその他のアーチファクトとして現れる。
【００３５】
かかる表示アーチファクトを防止するために、低速スイッチ６は、高速スイッチ５のルーマ遷移期間よりも長いクロマ遷移期間で切り替えを行なうように構成されている。切り替えレートを低下させることによって、切り替えによって発生するクロマ帯域外の側波帯を減衰即ち抑制する。減衰の度合い、したがって、画質は、ルーマ遷移期間に対するクロマ遷移期間の延長によって決定される。しかしながら、事実上いかなる延長でも、切り替えによって生じ輝度帯域以内に含まれる側波帯の大きさの減少および周波数の低下に役立つので、表示アーチファクトが減少するという効果が得られる。したがって、高速スイッチ５が３クロック・サイクルの遷移期間で輝度信号を切り替える場合、低速スイッチ６の遷移期間を少なくとも４クロックとすれば、改善された画像が得られる結果となる。１３．５メガヘルツのデータ・レートでは、クロマ遷移期間は、典型的に、１０サイクルないし２０サイクルの間の長さを有する。
【００３６】
図５は、低速スイッチ６の更に詳細なブロック図であり、乗算器１６１，１６２，減算器１６３，加算器１６４，およびクロマ・テーブル１６５，１６６を含む。低速スイッチ６は、高速スイッチ５がＬＵＭ１，ＬＵＭ２上で動作するのと同様に、ＣＨＲＯＭ１およびＣＨＲＯＭ２上で動作するが、高速スイッチ５よりも長い遷移期間で切り替えを行なう。例えば、ルーマ遷移期間を上述と同様にＮクロック・サイクルと仮定する。クロマ遷移期間におけるクロック・サイクル数を整数Ｍで表す場合、ＭはＮよりも大きい。
【００３７】
低速スイッチ６は、ＣＴＲＡＮＳで示す、一連の昇順のＭ個のクロマ補間小数を用いて補間を行なう。その値は０．０から始まり、０．０ないし１．０の間の小数で表されるＣＨＲＯＭ２の透過レベルまで連続的に増加する。ＣＴＲＡＮＳデータは、大きさが増加する順序でクロマ・テーブル１６６に格納され、ＯＶＥＲＬＡＹによって設定される方向に、連続するクロック・サイクルで乗算器１６２にシフトされる。即ち、オーバーレイ画像の始点において、ＯＶＥＲＬＡＹがアサートされ、ＣＬＫＣＨＲのＭ個のパルスが生成され、昇順のＣＴＲＡＮＳデータが乗算器１６２に適用され、乗算器１６２の出力におけるＣＨＲＯＭ２の大きさを、ゼロからＣＨＲＯＭ２の透過レベルまで増加させる。オーバーレイ画像の終点において、ＯＶＥＲＬＡＹは論理状態を変化させ、ＣＴＲＡＮＳデータを降順で乗算器１６２に送り込み(clock) 、乗算器１６２の出力における信号の大きさを、逆にＣＨＲＯＭＳ２透過レベルからゼロに減少させる。
【００３８】
ＣＨＲＯＭ１の処理は、逆に行われる。減算器１６３において、値が１．０の定数値からＣＴＲＡＮＳデータを減算することによって、１−ＣＴＲＡＮＳで示す、一連のＭ個の降順の補間小数を生成する。したがって、１−ＣＴＲＡＮＳの値は１．０から始まり、０．０ないし１．０の間の小数として表されるＣＨＲＯＭ１透過レベルまで低下する。各ＣＬＫＣＨＲサイクル毎に、ＣＴＲＡＮＳデータおよび対応する１−ＣＴＲＡＮＳデータの和は１．０となり、オーバーレイ領域および非オーバーレイ領域間において、一定の１００％クロミナンス・レベルを保持する。
【００３９】
クロマ・テーブル１６５は、クロマ・テーブル１６６と同様に動作するが、テーブル１６６がクロマ値を昇順で乗算器１６２の入力に適用する場合に、テーブル１６５は対応する値を降順で乗算器１６１の入力に適用すること、あるいはその逆となることを除く。したがって、Ｍサイクルの遷移期間にわたって、ＣＨＲＯＭ２はゼロからその透過レベルまで増加し、一方ＣＨＲＯＭ１は最大振幅からその透過レベルまで減少し、あるいはその逆となる。
【００４０】
加算器１６４は、乗算器１６１，１６２からの補間信号の和を計算し、オーバーレイ・クロマ信号を生成する。ＬＵＭ１およびＬＵＭ２を配合する遷移期間よりも長い遷移期間にわたってクロミナンス信号ＣＨＲＯＭ１，ＣＨＲＯＭ２を配合することによって、加算器１６３の出力において瞬時的に増大する大きさの変化を回避する。このように、輝度成分を配合するレートよりも低いレートでクロミナンス成分を配合することにより、表示アーチファクトの減少および画質の向上を図る。
【００４１】
図６は、代替実施例における分離回路１０のブロック図である。ロー・パス・フィルタ（ＬＰＦ）２２はＣＯＭＰＶＩＤからの輝度情報をＬＵＭ１として抽出する一方クロミナンス信号を遮断する、カットオフ周波数を有する。遅延回路２３は、ＬＰＦ２２による遅延と一致し、ＬＵＭ１をＣＯＭＰＶＩＤと同期させるように構成されている。減算器２４は、ＣＯＭＰＶＩＤおよびＬＵＭ１間の差を計算し、主にＣＯＭＰＶＩＤのクロミナンス情報を含むようにＣＨＲＯＭ１を生成する。
【００４２】
図７は、分離回路１０の他の実施例のブロック図である。ハイ・パス・フィルタ（ＨＰＦ）２９は、ＣＯＭＰＶＩＤのクロミナンス情報をＣＨＲＯＭ１として通過させる一方輝度成分全体を遮断する、カットオフ周波数を有する。ＨＰＦ２９による遅延と一致するように遅延回路２８によってＣＯＭＰＶＩＤを遅延させ、ＣＯＭＰＶＩＤをＣＨＲＯＭ１と同期させる。減算器３０は、遅延ＣＯＭＰＶＩＤおよびＣＨＲＯＭ１間の差を計算し、主にＣＯＭＰＶＩＤの輝度情報を含むようにＬＵＭ１を生成する。
【００４３】
図８は、分離回路１０の更に別の実施例のブロック図である。帯域除去フィルタ３４が、ＣＯＭＰＶＩＤからクロミナンス情報を除去し、ノード１２において輝度信号ＬＵＭ１を生成する。遅延回路３５によってＣＯＭＰＶＩＤを遅延させ、減算器３６の入力においてＣＯＭＰＶＩＤをＬＵＭ１と同期させる。減算器３６は、遅延したＣＯＭＰＶＩＤからＬＵＭ１を減算し、主にＣＯＭＰＶＩＤのクロミナンス情報を含むようにＣＨＲＯＭ１を生成する。
【００４４】
以上の説明から、本発明は、背景画像上にグラフィックス画像を重ね合わせる、改良された回路および方法を提供することが認められよう。背景画像を表す入来信号に、重ね合わせるグラフィック画像を表すオーバーレイ信号を重ね合わせるテレビジョンまたはその他のビデオ・システムにおいて、表示アーチファクトが減少する。入来信号およびオーバーレイ信号の輝度成分間の切り替えを高速スイッチで行い、比較的短い遷移期間で切り替えを行なうことにより、重ね合わせ画像のエッジにおいて、先鋭な遷移を有する重ね合わせ輝度信号を生成する。
【００４５】
低速スイッチが、入来信号およびオーバーレイ信号のクロミナンス成分間で切り替えを行い、重ね合わせクロミナンス信号を生成する。低速スイッチは、高速スイッチよりも長い遷移期間で切り替えを行い、輝度帯域幅内に含まれる、重ね合わせクロミナンス信号の切り替えによる側波帯を抑制または減衰させる。これらの側波帯を減衰させることにより、遷移期間を長くしたために、側波帯を輝度信号として間違って処理したことに起因する、重ね合わせ画像のエッジにおけるリンギングおよびその他の表示アーチファクトが減少し、表示画質が向上する。重ね合わせ輝度信号および重ね合わせクロミナンス信号を組み合わせ、複合重ね合わせ信号を生成する。複合重ね合わせ信号においては、輝度遷移期間を短くしたことによってオーバーレイ画像のエッジにおいて先鋭性を保存し、一方クロミナンス遷移期間を長くしたことによってリンギングやその他の表示アーチファクトが減少する。
【図面の簡単な説明】
【図１】テレビジョン受信機のブロック図。
【図２】ビデオ・グラフィックス発生器のブロック図。
【図３】分離回路を含むビデオ・オーバーレイ回路のブロック図。
【図４】高速スイッチのブロック図。
【図５】低速スイッチのブロック図。
【図６】別の実施例における分離回路のブロック図。
【図７】分離回路の他の実施例のブロック図。
【図８】分離回路の更に他の実施例のブロック図。
【符号の説明】
２    遅延回路
３    バンドパス・フィルタ（ＢＰＦ）
４    減算器
５    高速スイッチ
６    低速スイッチ
７    結合回路
８    出力
１０    分離回路
１６    バースト・レベル検出器
１７    バースト位相ロック・ループ（ＰＬＬ）
１８    グラフィックス・ビデオ発生器
１９    変調器
２０，４１    レベル制御回路
２２    ロー・パス・フィルタ（ＬＰＦ）
２４    減算器
２８    遅延回路
２９    ハイ・パス・フィルタ（ＨＰＦ）
３０    減算器
３４    帯域除去フィルタ
３５    遅延回路
３６    減算器
４０    ルーマ・レベル検出器
１００    テレビジョン・システム
１０２    入力デバイス
１０４    無線周波数（ＲＦ）回路
１０６    復調器
１０８    アナログ／デジタル変換器（ＡＤＣ）
１１０    ビデオ・オーバーレイ回路
１１２    オーバーレイ信号プロセッサ
１１４    ディスプレイ・デバイス
１５１，１５２，１６１，１６２    乗算器
１５３，１６３    減算器
１５４，１６４    加算器
１５５，１５６    ルーマ・テーブル
１６５，１６６    クロマ・テーブル
【図１】
0003805536.tif 000002
【図２】
0003805536.tif 000003
【図３】
0003805536.tif 000004
【図４】
0003805536.tif 000005
【図５】
0003805536.tif 000006
【図６】
0003805536.tif 000007
【図７】
0003805536.tif 000008
【図８】
0003805536.tif 000009